(57)【要約】【課題】コストを低減させ、高精度な位置決めを要さず簡単に中立状態を確認する。【解決手段】外側ケース２及び内側ケース３間の収納空間４内に配設された少なくとも四本のフラットケーブル５が、何れも中間部の反転部５ｒで反転されて外側ケース２及び内側ケース３に逆方向に巻回されてなる反転式の回転コネクタ装置であって、外側ケース２又は内側ケース３に開口形成され、中立状態で反転部５ｒが収納空間４の外部から視認される位置に配置された一つの視認窓３５と、中立状態となり得る回転位置に内側ケース３を合わせるための位置合わせマーク７とを備える。フラットケーブル５の反転部５ｒが、収納空間４の周方向に等間隔に設けられると共に、一つの反転部５１ｒが中立状態で視認窓３５と重なる位置に設けられ、中立状態で視認窓３５と重なる反転部５１ｒを有するフラットケーブル５１が、他のフラットケーブル５とは色が異なる。【選択図】図１
2014033502.tif 000002
【特許請求の範囲】
【請求項１】
外側ケースと該外側ケースに対して相対回転自在に嵌合された内側ケースとの間に形成された環状の収納空間に少なくとも四本のフラットケーブルが巻回状態で配設され、前記フラットケーブルが何れも中間部の反転部で反転されて前記外側ケース及び前記内側ケースに逆方向に巻回されてなる反転式の回転コネクタ装置であって、
前記外側ケース又は前記内側ケースに開口形成され、前記内側ケースの右回りの回転数と左回りの回転数とが等しくなる中立状態で前記反転部が前記収納空間の外部から視認される位置に配置された一つの視認窓と、
前記中立状態となり得る回転位置に前記内側ケースを合わせるための位置合わせマークと、を備え、
前記フラットケーブルの前記反転部が、前記収納空間の周方向に等間隔に設けられると共に、一つの前記反転部が前記中立状態で前記視認窓と重なる位置に設けられ、
前記中立状態で前記視認窓と重なる前記反転部を有する前記フラットケーブルが、他の前記フラットケーブルとは色が異なる
ことを特徴とする、回転コネクタ装置。
【請求項２】
前記中立状態で前記視認窓と重なる前記反転部を有する前記フラットケーブルが、他の前記フラットケーブルとは異なる色に着色された着色ケーブルである
ことを特徴とする、請求項１記載の回転コネクタ装置。
【請求項３】
前記視認窓が、前記内側ケースの環状蓋部に形成される
ことを特徴とする、請求項１又は２記載の回転コネクタ装置。
【請求項４】
前記位置合わせマークが、前記外側ケースに設けられた第一マークと、前記内側ケースに設けられ、前記中立状態で前記第一マークと一致する第二マークとからなる
ことを特徴とする、請求項１〜３の何れか１項に記載の回転コネクタ装置。
【発明の詳細な説明】
【技術分野】
【０００１】
本発明は、固定体と回転体との間を電気的に接続する回転コネクタ装置に関する。
【背景技術】
【０００２】
回転コネクタ装置は、例えば自動車やトラック等の車両のステアリングホイールの下側に装着され、固定体である車体と回転体であるステアリングホイールとを接続する通電部品である。回転コネクタ装置は、クロックスプリングやステアリングロールコネクタとも呼ばれ、ステアリングホイールに設けられたエアバッグユニットやホーンスイッチ等へ電気信号を伝達する。
【０００３】
一般的に、回転コネクタ装置は、外側ケースと、外側ケースに対して相対回転自在に嵌合された内側ケースとにより環状の収納空間が形成され、この収納空間内に複数のフラットケーブルが配設されて構成される。フラットケーブルは、外側ケースに設けられる固定側のコネクタ部と、内側ケースに設けられる回転側のコネクタ部とを接続する。
【０００４】
このような回転コネクタ装置は、内側ケースが外側ケースに対して、右回り（時計回り）に回転できる回数と左回り（反時計回り）に回転できる回数とが等しくなる位置（中立位置）を有し、この中立位置の状態（以下、中立状態という）で車両に取り付けられる必要がある。そのため、従来から回転コネクタ装置の中立状態を確認する手法が提案されている。
【０００５】
例えば特許文献１には、四本のフラットケーブルを途中で反転させた状態で環状の収納空間に収納し、反転部の反力を利用した反転式の回転コネクタ装置が記載されている。この回転コネクタ装置では、中立状態を確認するための視認窓が内側ケースの上蓋部に一つ設けられ、中立状態のときにフラットケーブルの何れかの反転部が視認窓の位置に来るようにしている。さらに、この中立状態のときに視認窓の位置に来る反転部に所定のマークを付与している。これにより、回転コネクタ装置が中立状態であれば、視認窓から所定のマークが付与された反転部が視認されるため、中立状態を確認できるとされている。
【先行技術文献】
【特許文献】
【０００６】
【特許文献１】特開２００７−３２０４５０号公報
【発明の概要】
【発明が解決しようとする課題】
【０００７】
しかしながら、上記の特許文献１の回転コネクタ装置は、中立状態のときに視認窓の位置に来るフラットケーブルの反転部に所定のマークを付与する工程が必要になるため、工数が増加し、その分コストの増大を招くおそれがある。
また、この回転コネクタ装置は、視認窓から見える所定のマークの見え方によって中立状態であるか、中立状態から若干ずれているかを判断しているため、フラットケーブルの位置決めを高精度に行う必要がある。
【０００８】
つまり、特許文献１の回転コネクタ装置は、まず四本のフラットケーブルをそれぞれ必要な長さに形成し、次にこれらフラットケーブルのうち一本の反転部が、中立状態のときに視認窓の位置に来るようにし、この反転部に所定のマークを付与する。そして、マークを付与する工程が終了してから、マークを付与した反転部を収納空間内の所定の位置に配設し、残り三本のフラットケーブルも収納空間に配設することで製造される。
しかし、各フラットケーブルを必要な長さに形成する際に生じるばらつきや、所定のマークを付与する際のばらつき等を考慮すると、フラットケーブルの位置決めを高精度に行うことは困難である。
【０００９】
本件の目的の一つは、上記のような課題に鑑み創案されたもので、コストを低減させるとともに、高精度な位置決めを要さず簡単に中立状態を確認することができるようにした、回転コネクタ装置を提供することである。
なお、この目的に限らず、後述する発明を実施するための形態に示す各構成により導かれる作用効果であって、従来の技術によっては得られない作用効果を奏することも本件の他の目的として位置づけることができる。
【課題を解決するための手段】
【００１０】
（１）ここで開示する回転コネクタ装置は、外側ケースと該外側ケースに対して相対回転自在に嵌合された内側ケースとの間に形成された環状の収納空間に少なくとも四本のフラットケーブルが巻回状態で配設され、前記フラットケーブルが何れも中間部の反転部で反転されて前記外側ケース及び前記内側ケースに逆方向に巻回されてなる反転式の回転コネクタ装置である。
この回転コネクタ装置は、前記外側ケース又は前記内側ケースに開口形成され、前記内側ケースの右回りの回転数と左回りの回転数とが等しくなる中立状態で前記反転部が前記収納空間の外部から視認される位置に配置された一つの視認窓と、前記中立状態となり得る回転位置に前記内側ケースを合わせるための位置合わせマークと、を備える。また、前記フラットケーブルの前記反転部が、前記収納空間の周方向に等間隔に設けられると共に、一つの前記反転部が前記中立状態で前記視認窓と重なる位置に設けられ、前記中立状態で前記視認窓と重なる前記反転部を有する前記フラットケーブルが、他の前記フラットケーブルとは色が異なることを特徴としている。
【００１１】
より詳細には、前記外側ケースは、第一コネクタ部を備え、環状底部と該環状底部の外周縁から立設された外筒部とを有し、前記内側ケースは、第二コネクタ部を備え、環状蓋部と該環状蓋部の内周縁から立設された内筒部とを有し、前記外筒部の内側に前記外側ケースに対して相対回転自在に嵌合される。これにより、前記外側ケースと前記内側ケースとの間には、環状の収納空間が形成される。この収納空間に配設される少なくとも四本のフラットケーブルは、何れも、一端部が前記第一コネクタ部もしくはその周辺部に接続され、他端部が前記第二コネクタ部もしくはその周辺部に接続され、中間部に反転部を有する。
【００１２】
前記反転部よりも前記一端部側は、前記外筒部の内周面に一方向に巻き付けられ、前記中間部よりも前記他端部側は前記内筒部の外周面に逆方向に巻き付けられ、前記反転部が前記収納空間の周方向に略等間隔に設けられる。例えば、フラットケーブルが四本の場合は、前記反転部は前記収納空間の周方向に90度ずれて設けられ、フラットケーブルが五本の場合は、前記反転部は前記収納空間の周方向に72度ずれて設けられる。
【００１３】
（２）また、前記中立状態で前記視認窓と重なる前記反転部を有する前記フラットケーブルが、他の前記フラットケーブルとは異なる色に着色された着色ケーブルであることが好ましい。ここでいう着色ケーブルとは、導体の周囲を被覆する保護層に色素が混入されたケーブルであることが好ましい。つまり、製造段階で既に色がついているケーブルをこの着色ケーブルとして採用することが好ましい。
（３）また、前記視認窓が、前記内側ケースの環状蓋部に形成されることが好ましい。
（４）また、前記位置合わせマークが、前記外側ケースに設けられた第一マークと、前記内側ケースに設けられ、前記中立状態で前記第一マークと一致する第二マークとからなることが好ましい。
【発明の効果】
【００１４】
開示の回転コネクタ装置によれば、位置合わせマークにより内側ケースの回転位置を中立状態になり得る位置に合わせることができ、この状態で視認窓から色の異なるフラットケーブルの反転部が視認されれば、それが中立状態であると簡単に確認することができる。
また、中立状態のときに視認窓の位置に来るフラットケーブルの反転部に所定のマークを付与するような従来の手法と比べて、高精度な位置決めを要さず、マークを付与するという工程も不要になるため、コストを削減することができる。
【図面の簡単な説明】
【００１５】
【図１】一実施形態に係る回転コネクタ装置の模式的な分解斜視図である。
【図２】図１の回転コネクタ装置の上面図であり、（ａ）は内部構造を示し、（ｂ）は内側ケースが嵌合されて中立状態である場合を示す。
【図３】図１に示す回転コネクタ装置の内側ケースを左回りに回転させたときの視認窓と反転部との関係を示したグラフである。
【図４】図２（ｂ）に示す中立状態からずれた場合を説明する上面図であり、（ａ）は左回りに二回転ずれた状態、（ｂ）は右回りに二回転ずれた状態を示す。
【発明を実施するための形態】
【００１６】
以下、図面を用いて実施の形態について説明する。なお、以下に示す実施形態はあくまでも例示に過ぎず、以下の実施形態で明示しない種々の変形や技術の適用を排除する意図はない。
［１．構造］
図１に示すように、本実施形態に係る回転コネクタ装置１は、外側ケース２と内側ケース３とが組み合わされて形成される収納空間４内に、四本のフラットケーブル５が巻回状態で配設されて構成される。回転コネクタ装置１は、これらフラットケーブル５の巻回方向が途中で反転された状態で収納され、後述する反転部５ｒの反力で形状を維持し、四つの反転部５ｒの位置関係を保持したまま回転するケーブル反転式の回転コネクタ装置である。
【００１７】
回転コネクタ装置１は、自動車やトラック等の車両のステアリングホイール（図示略）の下側に装着され、固定体である車体と回転体であるステアリングホイールとを接続する通電部品である。この回転コネクタ装置１は、クロックスプリングやステアリングロールコネクタとも呼ばれ、例えばステアリングホイールに設けられたエアバッグユニットやホーンスイッチ等へ電気信号を伝達するものである。
【００１８】
外側ケース２は、車体側に取り付けられて固定される固定側ケースである。外側ケース２は、円環状の環状底部２１と、環状底部２１の外周縁から環状底部２１に対して垂直に立設された円筒状の外筒部２２とを有する。環状底部２１は、中心にステアリングの回転軸Ｘの方向（図中上下方向）に貫通した貫通孔２６を有する。また、外筒部２２は、周方向の一部に、径方向外側に向かって突設された固定側コネクタ部（第一コネクタ部）２３を有する。
【００１９】
外側ケース２は、環状底部２１の内周縁（すなわち、貫通孔２６の周囲）に、後述する内側ケース３の内筒部３２と嵌合されるスリーブ２４を有する。スリーブ２４は、環状底部２１に対して回転自在に固定され、環状底部２１に対して垂直に立設された四つの突起部２４ａを有する。これらの突起部２４ａは、スリーブ２４の周方向に等間隔に（すなわち、90度ずれた位置に）設けられる。
【００２０】
内側ケース３は、ステアリングホイール側に取り付けられ、ステアリングホイールの回転に伴って回転する回転側ケースである。内側ケース３は、円環状の環状蓋部３１と、環状蓋部３１の内周縁から環状蓋部３１に対して垂直に立設された円筒状の内筒部３２とを有し、外筒部２２の内側に設けられる。環状蓋部３１は、中心にステアリングの回転軸Ｘの方向（図中上下方向）に貫通した貫通孔３６を有する。また、環状蓋部３１の内径（すなわち、貫通孔３６の直径）及び外径は、環状底部２１の内径（すなわち、貫通孔２６の直径）及び外径と略同一である。
【００２１】
環状蓋部３１の周方向の一部には、環状蓋部３１に対して垂直方向に突設された回転側コネクタ部（第二コネクタ部）３３が設けられる。回転側コネクタ部３３は、上記したホーンスイッチやエアバッグユニット等の電気回路から引き出されたケーブル（図示略）に接続される。したがって、回転コネクタ装置１を介して、車体側からステアリングホイール側へ電気信号が伝送される。また、環状蓋部３１の径方向中間部には、一つの視認窓３５が設けられる。視認窓３５は、回転軸Ｘの方向に貫通された孔に、例えば透明フィルムを貼り付けることで形成され、環状蓋部３１の上方から収納空間４内を見えるようにしたものである。
【００２２】
内筒部３２は、その内周面３２ａにスリーブ２４の四つの突起部２４ａと嵌合される四つの凹み部３４を周方向に等間隔に（すなわち、90度ずれた位置に）有する。なお、ここでいう内筒部３２の内周面３２ａとは、内筒部３２の径方向内側の周面である。内側ケース３は、外側ケース２のスリーブ２４の突起部２４ａに凹み部３４が嵌合されることで、外側ケース２に対して相対回転自在に嵌合される。なお、スリーブ２４の外周面には後述するフラットケーブル５が巻き回されており、内側ケース３の内筒部３２は、スリーブ２４の外周面とフラットケーブル５との間に嵌め込まれる。また、外側ケース２及び内側ケース３は、回転軸Ｘを一致させた状態で嵌合される。
【００２３】
外側ケース２と内側ケース３とが組み合わされると、外側ケース２の環状底部２１及び外筒部２２と内側ケース３の環状蓋部３１及び内筒部３２との間には、環状の収納空間４が形成される。また、外側ケース２の貫通孔２６と内側ケース３の貫通孔３６とが一つの貫通孔６を形成する。貫通孔６は、ステアリングシャフトが挿通される孔であり、ステアリングシャフトの径と略同等かやや大きい径を有する。
【００２４】
四本のフラットケーブル５は、何れも平型の可撓性ケーブルであり、一端部が固定側コネクタ部２３もしくはその周辺部に接続され、他端部が回転側コネクタ部３３もしくはその周辺部に接続される。また、フラットケーブル５は、中間部よりも一端部側が外筒部２２の内周面に一方向（ここでは、内側ケース３側から見て反時計回り）に巻き付けられ、中間部で巻き付け方向が反転される。フラットケーブル５の中間部よりも他端部側は、スリーブ２４の外周面に巻き回され、外側ケース２に内側ケース３が組み合わされることで、内筒部３２の外周面に逆方向（すなわち、時計回り）に巻き付けられる。
【００２５】
以下、フラットケーブル５の巻回方向が反転される中間部を反転部５ｒという。四つの反転部５ｒは、収納空間４の周方向に等間隔になるように（すなわち、90度ずれた位置に来るように）設けられる。なお、フラットケーブル５は、外筒部２２の内周面及び内筒部３２の外周面に対して、それぞれ二回転以上巻き回される。
【００２６】
回転コネクタ装置１は、内側ケース３が外側ケース２に対して右回り（時計回り）に回転できる回数と左回り（反時計回り）に回転できる回数とが等しくなる中立位置を有し、この中立位置の状態（以下、中立状態という）で車両に取り付けられる。これは、フラットケーブル５の長さが限られており、内側ケース３の回転数も有限回数に限られているため、車両へ取り付けられたときに、内側ケース３が右方向及び左方向へ同じ回転数だけ回転できるようにするためである。
【００２７】
一般的に、回転コネクタ装置１は、ステアリングホイールの回転に伴い、左右に三回転弱（三回転未満）回転できる程度に、フラットケーブル５が外筒部２２及び内筒部３２に巻き付けられている。フラットケーブル５は、内側ケース３を一方向（例えば右回り）に回転させると、フラットケーブル５上の反転部５ｒの位置を変えながら、反転部５ｒがその回転方向と同一方向（すなわち右回り）に移動する。
【００２８】
ここでは、内側ケース３を一回転させると、反転部５ｒは八分の三回転移動するようになっており、内側ケース３を同一方向に二回転させると、反転部５ｒは四分の三回転移動する。つまり、内側ケース３が同一の回転方向に二回転すると、反転部５ｒは回転方向とは逆方向に四分の一回転分だけ移動したように見える。なお、反転部５ｒの移動速度（移動量）は、外筒部２２の内径と内筒部３２の外径との比率によって決まり、内側ケース３の一回転に対して反転部５ｒが回転移動する移動量は、０よりも大きく二分の一回転未満の範囲をとる。
【００２９】
四本のフラットケーブル５は、一端部が固定側コネクタ部２３に接続され、他端部が回転側コネクタ部３３に接続されて、固定側コネクタ部２３と回転側コネクタ部３３とを電気的に接続する活線ケーブル５１を有する。また、四本のフラットケーブル５は活線ケーブル５１の他に、固定側コネクタ部２３と回転側コネクタ部３３とを電気的に接続しないダミーケーブル５２を含む。ダミーケーブル５２は、四つの反転部５ｒの位置関係を保持したまま内側ケース３が回転できるようにするためのものであり、一端部が固定側コネクタ部２３の周辺部に接続され、他端部が回転側コネクタ部３３の周辺部に接続される。ダミーケーブル５２は、活線ケーブル５１と異なり内部に導線は設けられていない。なお、以下の説明において、活線ケーブル５１とダミーケーブル５２とを特に区別しない場合は、単にフラットケーブル５という。
【００３０】
ダミーケーブル５２の数は、活線ケーブル５１の数に応じて決まり、例えば活線ケーブル５１が一本必要であれば、ダミーケーブル５２は三本となり、活線ケーブル５１が四本必要であれば、ダミーケーブル５２は設けられない。本実施形態では、活線ケーブル５１とダミーケーブル５２とがそれぞれ二本ずつ設けられ、活線ケーブル５１の反転部５１ｒとダミーケーブル５２の反転部５２ｒとが、収納空間４の周方向に交互に設けられる場合を説明する。
【００３１】
また、二本の活線ケーブル５１のうち一方は、他方の活線ケーブル５１及びダミーケーブル５２とは異なる色に予め着色されたものとなっている。以下、着色された活線ケーブル５１を着色ケーブル５１Ｂと呼び、着色されていない活線ケーブル５１を無着色ケーブル５１Ａと呼ぶ。なお、無着色ケーブル５１Ａは、ダミーケーブル５２と同色で外観では区別がつかない。また、着色ケーブル５１Ｂと無着色ケーブル５１Ａとを特に区別しない場合には、単に活線ケーブル５１と呼ぶ。
【００３２】
着色ケーブル５１Ｂは、例えば、活線ケーブル５１を製造する段階で、導体の周囲を被覆する保護層に異なる色素の合成樹脂を混合することで、全体が予め異なる色に着色されたものである（つまり、製造段階で既に異なる色がついているケーブルのことである）。なお、着色ケーブル５１Ｂは、色が異なる以外の構成は無着色ケーブル５１Ａと同様である。着色ケーブル５１Ｂは、図１ではドットを付して表現し、図２（ａ），（ｂ）では黒塗りで表現している。なお、着色ケーブル５１Ｂの色は、外部から視認窓３５を通じて確実に視認できる色（例えば、赤色や橙色等）が好ましい。
【００３３】
図２（ａ），（ｂ）に示すように、上記した視認窓３５は、回転コネクタ装置１が中立状態であるか否かを確認するためのものであり、中立状態において、着色ケーブル５１Ｂの反転部５１Ｂｒが外部から視認される位置に設けられる。言い換えると、着色ケーブル５１Ｂの反転部５１Ｂｒは、中立状態において視認窓３５と重なる位置に設けられる。なお、何れの上面図においても、回転側コネクタ部３３を省略している。
【００３４】
また、回転コネクタ装置１は、中立状態となり得る回転位置に内側ケース３を合わせるための位置合わせマーク７を有する。ここでは位置合わせマーク７は、外側ケース２の固定側コネクタ部２３の上面に設けられた三角形状の第一マーク２７と、内側ケース３の環状蓋部３１に設けられた三角形状の第二マーク３７とから構成される。位置合わせマーク７は、第一マーク２７の頂点と第二マーク３７の頂点とが一致しているときに正確な中立状態となり得る。つまり、第一マーク２７と第二マーク３７との一致が、中立状態であることの条件の一つである。以下、第一マーク２７と第二マーク３７とが一致しているときを、位置合わせマーク７が一致しているという。
【００３５】
［２．作用］
次に、図３を用いて、本回転コネクタ装置１の内側ケース３を回転させたときの、視認窓３５と反転部５ｒとの関係を説明する。併せて、図４（ａ），（ｂ）を用いて、回転コネクタ装置１が中立状態であるか否かを確認する手法を説明する。図３は、内側ケース３を左回りに回転させたときの回転状態を示し、横軸に時間、縦軸に回転数をとったグラフである。なお、縦軸の回転数が１となると、左回りに一回転して戻ってきたことになるため、回転数を０に戻して表現している。また、時刻ｔ0は中立状態である。
【００３６】
図３において、太実線は視認窓３５を示し、一点鎖線は着色ケーブル５１Ｂの反転部５１Ｂｒを示し、破線は無着色ケーブル５１Ａ及びダミーケーブル５２の反転部５１Ａｒ，５２ｒを示す。また、太実線と一点鎖線又は破線とが交わる交点は、視認窓３５と反転部５１Ｂｒ又は反転部５１Ａｒ，５２ｒとが重なる部分である。つまり、交点の時間（回転数）において、視認窓３５と重なる反転部５１Ｂｒ，５１Ａｒ，５２ｒが外部から視認される。
【００３７】
図３に示すように、時刻ｔ0での視認窓３５の位置を基準（回転数０）とすると、同時刻ｔ0では、着色ケーブル５１Ｂの反転部５１Ｂｒが視認窓３５と重なっており、無着色ケーブル５１Ａ及びダミーケーブル５２の反転部５１Ａｒ，５２ｒは視認窓３５とは重ならない。つまり、中立状態である時刻ｔ0では、視認窓３５からは着色ケーブル５１Ｂの反転部５１Ｂｒのみが視認される。
【００３８】
時刻ｔ0から時刻ｔ1までに内側ケース３を左回りに一回転させると、視認窓３５は一回転して元の位置に戻る。内側ケース３が一回転すると、各反転部５１Ｂｒ，５１Ａｒ，５２ｒは同じ回転方向（すなわち、左回り）に八分の三回転ずつ移動するので、例えば時刻ｔ0において基準（回転数０）に位置していた反転部５１Ｂｒは、時刻ｔ1では回転数が八分の三となる。つまり、内側ケース３が中立状態から一回転ずれた時刻ｔ1では、視認窓３５は何れの反転部５１Ｂｒ，５１Ａｒ，５２ｒとも重ならない。したがって、内側ケース３が中立状態から左回りに一回転ずれている場合は、位置合わせマーク７は一致しても、視認窓３５からは何れの反転部５１Ｂｒ，５１Ａｒ，５２ｒも視認されない。
【００３９】
なお、内側ケース３を中立状態から右回りに回転させた場合は、図３のグラフの時間軸（横軸）を左に延長させて、視認窓３５の直線と、各反転部５１Ｂｒ，５１Ａｒ，５２ｒの直線とをそのまま延長させることで表現されるため、ここでは省略する。内側ケース３を中立状態から右回りに一回転させた場合であっても、左回りのときと同様、位置合わせマーク７は一致するものの、視認窓３５は何れの反転部５１Ｂｒ，５１Ａｒ，５２ｒとも重ならず、二つの視認窓３５からは何れの反転部５１Ｂｒ，５１Ａｒ，５２ｒも視認されない。
【００４０】
時刻ｔ1から時刻ｔ2までに内側ケース３をさらに左回りに一回転させると、視認窓３５は時刻ｔ0の中立状態から二回転して元の位置に戻る。内側ケース３が二回転すると、各反転部５１Ｂｒ，５１Ａｒ，５２ｒは同じ左回りに四分の三回転ずつ移動するので、例えば時刻ｔ0において基準（回転数０）に位置していた反転部５１Ｂｒは、時刻ｔ2では回転数が四分の三となる。また、時刻ｔ0において視認窓３５と重なっていなかった（回転数が四分の一であった）反転部５２ｒは、時刻ｔ2では回転数が１となって視認窓３５と重なる。
【００４１】
つまり、図４（ａ）に示すように、内側ケース３が中立状態から左回りに二回転ずれている場合は、位置合わせマーク７は一致しても、中立状態では視認されなかった反転部５２ｒが視認されることになる。言い換えると、この状態では、視認窓３５から着色ケーブル５１Ｂの反転部５１Ｂｒが視認されない。また、内側ケース３を中立状態から右回りに二回転させた場合も、図４（ｂ）に示すように、位置合わせマーク７は一致しても、ダミーケーブル５２の反転部５２ｒが視認されることになり、視認窓３５から着色ケーブル５１Ｂの反転部５１Ｂｒは視認されない。
【００４２】
したがって、位置合わせマーク７が一致している場合、視認窓３５から他の三本のフラットケーブル５とは色の異なる着色ケーブル５１Ｂの反転部５１Ｂｒが視認されれば、回転コネクタ装置１が中立状態であると判断することができる。また、視認窓３５から着色ケーブル５１Ｂ以外のフラットケーブル５の反転部５ｒが視認されれば、中立状態から左右何れかの方向に一回転又は二回転ずれていると判断することができる。
【００４３】
なお、図３に示すように、時刻ｔ0から時刻ｔ1までの間及び時刻ｔ1から時刻ｔ2までの間でも、視認窓３５と反転部５ｒとが重なる交点が存在する。つまり、この交点の時間（回転数）では視認窓３５と重なる反転部５１Ｂｒ，５１Ａｒ，５２ｒが外部から視認される状態となっている。しかし、時刻ｔ0から時刻ｔ1までの間及び時刻ｔ1から時刻ｔ2までの間は、位置合わせマーク７が一致しない状態である。そのため、視認窓３５から反転部５ｒが視認されたとしても、位置合わせマーク７を確認することにより、回転コネクタ装置１が中立状態でないことを確認することができる。
【００４４】
［３．効果］
したがって、本回転コネクタ装置１によれば、位置合わせマーク７により内側ケース３の回転位置を中立状態になり得る位置に合わせることができ、この状態で視認窓３５から色の異なるフラットケーブル５１Ｂの反転部５１Ｂｒが視認されれば、それが中立状態であると簡単に確認することができる。また、内側ケース３の回転位置を中立状態になり得る位置に合わせている状態で、視認窓３５から色の異なるフラットケーブル５１Ｂ以外の反転部５１Ｂｒが視認されたときは中立状態ではないと判断することができる。つまり、本回転コネクタ装置１によれば、一つの視認窓３５と位置合わせマーク７とを見ながら内側ケース３を回転させることで、簡単に中立状態を確認しながら合わせることができる。
【００４５】
また、中立状態のときに視認窓の位置に来るフラットケーブルの反転部に所定のマークを付与するような従来の手法と比べて、高精度な位置決めを要さず、マークを付与するという工程も不要になるため、コストを削減することができる。また、このような従来の手法に比べて、一本のフラットケーブル５１Ｂ全体が他の三本のフラットケーブル５と色が異なるため、高精度な位置決めを要さず、簡単に回転コネクタ装置１を製造することができ、この点においてもコストを削減することができる。
【００４６】
また、中立状態で視認窓３５と重なる反転部５１Ｂｒを有するフラットケーブル５１Ｂが、他のフラットケーブル５とは異なる色に着色された着色ケーブルであるため、四本のフラットケーブル５のうち一本だけを着色ケーブル５１Ｂとすればよく、コスト増を抑制することができる。
【００４７】
また、視認窓３５が内側ケース３の環状蓋部３１に形成されているため、作業者が容易に視認窓３５を介して収納空間４内を見ることができ、中立状態か否かを容易に確認することができる。
また、位置合わせマーク７が、外側ケース２に設けられた第一マーク２７と、内側ケース３に設けられ、中立状態で第一マーク２７と一致する第二マーク３７とから構成されているため、回転コネクタ装置１が中立状態となる位置に内側ケース３を正確に合わせることができる。
【００４８】
［４．その他］
以上、本発明の実施形態を説明したが、本発明は上記実施形態に限定されるものではなく、本発明の趣旨を逸脱しない範囲で種々変形することが可能である。
上記実施形態では、四本のフラットケーブル５のうち、二本が活線ケーブル５１であり、残りの二本がダミーケーブル５２である場合を説明したが、活線ケーブル５１及びダミーケーブル５２の本数はこれに限られず、活線ケーブル５１が一本又は三本であり、ダミーケーブル５２が三本又は一本であってもよい。また、ダミーケーブル５２を含まず、全てが活線ケーブル５１であってもよい。さらに、また、フラットケーブル５の本数は四本に限られず、少なくとも四本設けられていればよい。
【００４９】
また、活線ケーブル５１の反転部５１ｒとダミーケーブル５２の反転部５２ｒとが、収納空間４の周方向に交互に設けられる場合を説明したが、活線ケーブル５１の反転部５１ｒとダミーケーブル５２の反転部５２ｒとが、それぞれ隣同士に設けられていてもよく、その位置は特に限定されない。
また、上記実施形態では、活線ケーブル５１を予め着色された着色ケーブル５１Ｂとしたが、着色ケーブルはこれに限られず、ダミーケーブル５２を着色ケーブルとしてもよい。
【００５０】
また、中立状態において視認窓３５と重なる位置に来る反転部５ｒを有するフラットケーブル５以外の三本のフラットケーブル５を着色ケーブルとしてもよい。つまり、中立状態で視認窓３５と重なる反転部５ｒを有する一本のフラットケーブル５と、中立状態で視認窓３５と重ならない反転部５ｒを有する三本のフラットケーブル５とが、異なる色であればよい。
【００５１】
また、上記実施形態では、視認窓３５が内側ケース３の環状蓋部３１に形成されているが、視認窓３５の位置はこれに限られず、例えば、内側ケース３の内筒部３２や、外側ケース２の環状底部２１又は外筒部２２に形成されていてもよい。また、視認窓３５の大きさや形状も特に限定されず、収納空間４内の反転部５ｒが外部から視認できるように形成されていればよい。
【００５２】
また、位置合わせマーク７は、上記したような第一マーク２７及び第二マーク３７からなるものに限られず、中立状態になり得る回転位置に内側ケース３を合わせることができるマークであればよい。例えば、三角形状のマークに代えて、外側ケース２及び内側ケース３に色を付した部分をそれぞれ設け、これらの部分が一致したときに回転位置が合っていることがわかるような構成でもよい。また、外側ケース２にある程度幅を持たせて色を付し、内側ケース３には三角マークを設け、三角マークが色のついた幅の中に含まれているときに回転位置が合っていると確認できるような構成であってもよい。
【００５３】
また、上記実施形態では、内側ケース３を一回転させると反転部５ｒが八分の三回転する回転コネクタ装置１を説明したが、反転部５ｒの移動量は、内側ケース３の内筒部３２の外径と外側ケース２の外筒部２２の内径との比率で決定するため上記したものに限られず、様々な回転コネクタ装置に適用可能である。
なお、本回転コネクタ装置１は、車両のステアリングホイールに装着されるものに限られない。
【符号の説明】
【００５４】
１  回転コネクタ装置
２  外側ケース
２１  環状底部
２２  外筒部
２３  固定側コネクタ部（第一コネクタ部）
２４  スリーブ
３  内側ケース
３１  環状蓋部
３２  内筒部
３３  回転側コネクタ部（第二コネクタ部）
３５  視認窓
４  収納空間
５  フラットケーブル
５１  活線ケーブル
５１Ａ  無着色ケーブル
５１Ｂ  着色ケーブル
５２  ダミーケーブル
５ｒ，５１Ａｒ，５１Ｂｒ，５２ｒ  反転部
６，２６，３６  貫通孔
７  位置合わせマーク
２７  第一マーク
３７  第二マーク
【図１】
2014033502.tif 000003
【図２】
2014033502.tif 000004
【図３】
2014033502.tif 000005
【図４】
2014033502.tif 000006